【事件の表示】
　平成　３年特許願第２５２２１２号「弾球遊技機」拒絶査定に対する審判事件［平成　５年　４月　６日出願公開、特開平　５−　８４３４６］について、次のとおり審決する。
【結　論】
　本件審判の請求は、成り立たない。
【理　由】
１．手続きの経緯・本願発明  
　本願は、平成３年９月３０日の出願であって、その請求項１ないし５に係る発明は、平成１０年９月２９日に提出された手続補正書、及び、平成１４年８月２６日に提出された手続補正書により補正された明細書及び図面の記載からみて、特許請求の範囲の請求項１ないし５に記載されたとおりのものと認められるところ、その請求項１に記載された発明は次のとおりのものである。
「【請求項１】　遊技盤の前面に形成された遊技領域に打玉を打込んで遊技が行なわれる弾球遊技機であって、
　遊技者にとって有利な遊技状態に制御可能となるように定められた特定の識別情報を含む複数種類の識別情報を可変表示可能な可変表示部が備えられた可変表示装置を含み、
　該可変表示装置には、裏面側に後退した箇所に、所定の情報を表示するための情報表示部が設けられているとともに、可変表示動作を行なう可変表示装置本体と、該可変表示装置本体とは別体に構成されて該可変表示装置本体の前面側を飾る飾り部とを有し、
　該飾り部は、取付基板により前記遊技盤前面側に出張った状態で取付けられ、
　前記情報表示部は表示部用基板に設けられ、
　該表示部用基板は前記取付基板側にビス止めされており、
　前記遊技盤の裏面側には、該遊技盤の裏面側から所定間隔隔てて裏カバー部が設けられ、前記可変表示装置本体は、前記裏カバー部に取付けられており、
　前記取付基板側には、前記表示部用基板の前面側で前記情報表示部に対応する位置に表示用開口が設けられ、
　前記可変表示装置本体の背面側にケースカバーが設けられ、
　該ケースカバーの背面側に２枚の基板が前記遊技盤に沿った姿勢で互いに間隔を隔てて設けられ、その両基板のうちの後方側のものが中継基板であることを特徴とする、弾球遊技機。」（以下、「本願発明」という。）
　
２．引用刊行物に記載された発明
（１）当審の拒絶の理由に引用された刊行物１（特開昭６２−２２６７３号公報）には、次の事項が記載されている。
(1-a).「第１図は、本発明に係る可変表示装置を備えたパチンコ遊技機全体の構成例を、また、第２図はその遊技領域の構成例を示すもので、遊技盤１の前面には、下部の操作ダイヤル2aにより駆動される打球発射装置２によって発射された打球を遊技盤１の上方部まで案内するガイドレール３が配設され、遊技盤１前面のガイドレール３とガラス板とによって囲まれた空間に遊技領域が構成されている。そして、この遊技領域の中央には、ゲーム装置としての可変表示装置４が、またその下方には通常は遊技領域の一部を成しているが、可変表示装置４における特定態様の発生により入賞領域に変換する変動入賞装置５が設けられている。変動入賞装置５は、一般入賞口と継続条件を構成する特別入賞口の２種類の入賞口を有し、これらの入賞口を覆うように開閉扉5aが設けられている。また、変動入賞装置５の両側部に一般入賞口5bが設けられている。」（３頁左上欄２行〜１９行）
(1-b).「上記のごとく構成されたパチンコ遊技機は、打球発射装置によって遊技領域内に打ち込まれた打球が特定入賞口７または８に入賞すると、可変表示装置４が変動駆動され、表示窓部45aに表示されている３個の数字もしくは絵柄がそれぞれ変化される。そして、遊技者が保持枠100に設けられている可変表示停止手段30を押すことによりあるいはタイマを用いたオートストップによって可変表示が停止され、そのとき表示窓部45aに現われた数字もしくは絵柄の組合せによって特定態様が発生される。
　特定態様が発生すると、変動入賞装置５が開状態に変換されてそこへの入賞確率がゼロから非常に高い状態に移行される。その結果、比較的短い時間内に多数の入賞球が発生し、多くの賞品球が遊技者に与えられるようになる。」（４頁左下欄２０行〜右下欄１５行）
(1-c).「第３図および第４図には、上記可変表示装置４の一実施例の分解斜視図と断面側面図が示されている。
　可変表示装置４の前面構成基板40の上部には、前述した円弧状の打球誘導面41aを有する鎧部材41が形成され、この鎧部材41は遊技盤１の表面より前方へ突出されており、その前端には照明部材42aを有する装飾板42
が取り付けられている。」（４頁右下欄１６行〜５頁左上欄４行）
(1-d).「また、照明部45bの中央には、特定態様発生時における変動入賞装置５の開成回数を表示するセグメント型表示器45cが配設されている。」（５頁右上欄７〜９行）
(1-e).「そして、上記表示パネル45の中央に形成された表示窓部45aの背部には透明な保護部材46が装着され、前面構成基板40の後方に配設された後述の変動表示機構部60内の３個の回転表示部材（回転ドラム）72の表面の絵柄がそれぞれ前方から見えるようになっている。保護部材46は、これをレンズのように肉厚を変えてやることによって拡大表示させるようにしてもよい。
　さらに、凹部形成壁44の下部には、特定入賞口７および８に入賞した打球の記憶数を表示するため４つの記憶表示手段49が横一列に配置されているとともに、凹部形成壁44の上部外壁には一対の案内部47が形成されている。可変表示装置４は、凹部形成壁44が遊技盤１の収納室1A内に挿入された状態で、前面構成基板40の周縁に形成された取付孔40dにて、ネジや釘などによって遊技盤１の表面に固定されるようになっている。」（５頁右上欄１０行〜左下欄７行）
(1-f).「この案内受部57を上記案内部47に挿入させ、かつ裏面構成基板50の四隅に設けられた取着部58にてネジ等により裏面構成基板50を遊技盤１の裏面に固定する。つまり、遊技盤１前方から前面構成基板40を、また後方から裏面構成基板50をそれぞれ遊技盤１を挟み込むようにして取り付ける。これによって、前面構成基板40と裏面構成基板50とが収納室1A内にて互に補強し合うような形で強固に、しかも精度良く位置決めされた状態で取り付けられる。
　裏面構成基板50の背面には２対の取着受部59が形成され、この取着受部59に変動表示機構部60が上壁と下壁に設けられた取着部60aにて固定されるようになっている。図面には２対の取着受部59のうち開口部50aの上方にあるもののみが示されているが、開口部50aの下方にも同様に取着受部が形成されている。
　第５図〜第７図に、変動表示機構部60の具体的な構成例が示されている。
　変動表示機構部60は、互いに分離可能に結合された上壁61a,下壁61b,側壁61c,61dおよび後壁61eによって、前面が開口した箱状をなすように形成された枠体61内に構成されている。」（５頁右下欄１５行〜６頁左上欄１９行）
　これらの記載及び第１ないし１１図によれば、刊行物１には以下の発明が記載されていると認められる。
「遊技盤１の前面に形成された遊技領域に打球を発射して遊技が行なわれるパチンコ遊技機であって、
　変動入賞装置５の入賞確率がゼロから非常に高い状態に移行される特定態様が発生する数字もしくは絵柄の組合せを含む複数種類の数字もしくは絵柄が可変表示する表示窓部４５ａが備えられた可変表示装置４を含み、
　該可変表示装置４には、特定入賞口７および８に入賞した打球の記憶数を表示するための記憶表示手段４９が設けられているとともに、可変表示動作を行なう変動表示機構部６０と、該変動表示機構部６０とは別体に構成されて該変動表示機構部６０の前面側を飾る装飾板４２とを有し、
　該装飾板４２は、前面機構基板４０により前記遊技盤１前面側に出張った状態で取付けられ、
　前記遊技盤１の裏面側には、該遊技盤１の裏面側から所定間隔隔てて裏面機構基板５０が設けられ、前記変動表示機構部６０は、前記裏面機構基板５０に取付けられており、
　前記変動表示機構部６０の背面側に枠体６１が設けられている弾球遊技機。」
　
３．対比判断
　本願発明と刊行物１に記載された発明とを比較すると、
　刊行物１に記載された発明の「遊技盤１」、「打球を発射して」、「パチンコ遊技機」、「変動入賞装置５の入賞確率がゼロから非常に高い状態に移行される特定態様が発生する数字もしくは絵柄の組合せ」、「数字もしくは絵柄」、「可変表示する」、「表示窓部４５ａ」、「可変表示装置４」、「変動表示機構部６０」、「装飾板４２」、「前面機構基板４０」、「裏面機構基板５０」、「枠体６１」がそれぞれの機能に照らしそれぞれ、
　本願発明の「遊技盤」、「打玉を打込んで」、「弾球遊技機」、「遊技者にとって有利な遊技状態に制御可能となるように定められた特定の識別情報」、「識別情報」、「可変表示可能な」、「可変表示部」、「可変表示装置」、「可変表示装置本体」、「飾り部」、「取付基板」、「裏カバー部」、「ケースカバー」にそれぞれ対応すると認められる。
　また、「特定入賞口７および８に入賞した打球の記憶数」は所定の情報の一種であるから、刊行物１に記載された発明の「特定入賞口７および８に入賞した打球の記憶数を表示するための記憶表示手段４９」は、本願発明の「所定の情報を表示するための情報表示部」に相当するから、
　両者は「遊技盤の前面に形成された遊技領域に打玉を打込んで遊技が行なわれる弾球遊技機であって、
　遊技者にとって有利な遊技状態に制御可能となるように定められた特定の識別情報を含む複数種類の識別情報を可変表示可能な可変表示部が備えられた可変表示装置を含み、
　該可変表示装置には、所定の情報を表示するための情報表示部が設けられているとともに、可変表示動作を行なう可変表示装置本体と、該可変表示装置本体とは別体に構成されて該可変表示装置本体の前面側を飾る飾り部とを有し、
　該飾り部は、取付基板により前記遊技盤前面側に出張った状態で取付けられ、
　前記遊技盤の裏面側には、該遊技盤の裏面側から所定間隔隔てて裏カバー部が設けられ、前記可変表示装置本体は、前記裏カバー部に取付けられており、
　前記可変表示装置本体の背面側にケースカバーが設けられている弾球遊技機。」である点で一致し、
　次の点で相違する。
（Ａ）可変表示装置に設けられている所定の情報を表示するための情報表示部が、
　本願発明は、裏面側に後退した箇所に設けられている構成であるのに対して、
　刊行物１に記載された発明は、裏面側に後退した箇所に設けられている構成であるかどうか不明な点。
　
（Ｂ）本願発明は、「情報表示部は表示部用基板に設けられ、該表示部用基板は取付基板側にビス止めされており、前記取付基板側には、前記表示部用基板の前面側で前記情報表示部に対応する位置に表示用開口が設けられ」ている構成であるのに対して、
　刊行物１に記載された発明は、上記構成を有していない点。
　
（Ｃ）本願発明は、「ケースカバーの背面側に２枚の基板が遊技盤に沿った姿勢で互いに間隔を隔てて設けられ、その両基板のうちの後方側のものが中継基板である」構成であるのに対して、
　刊行物１に記載された発明は、上記構成を有していない点。
　
　上記相違点（Ａ）ないし（Ｃ）について検討する。
相違点（Ａ）について
　可変表示装置に設けられている所定の情報を表示するための情報表示部を、裏面側に後退した箇所に設けられている構成とすることは、周知であるから（例えば、実願昭６１−２３６５０号（実開昭６２−１３７０７９号）のマイクロフィルム［セグメント表示器６１Ｅが、本願発明の情報表示部に相当。９頁４行〜１０頁４行、１２頁１５行〜１３頁１８行、第１（ａ）〜４図等参照。］、刊行物１［セグメント型表示器４５ｃが、本願発明の情報表示部に相当。前記２．（１）(1-d).、第３，４図等参照。］がある。）、刊行物１に記載された発明において、上記周知技術に基づいて上記相違点（Ａ）の構成とすることは、単なる設計的事項程度のことにすぎない。
　
相違点（Ｂ）について
　「情報表示部は表示部用基板に設けられ、該表示部用基板は取付基板側にビス止めされており、前記取付基板側には、前記表示部用基板の前面側で前記情報表示部に対応する位置に表示用開口が設けられ」ている構成とすることは周知であるから（一例として、実願昭６１−２３６５０号（実開昭６２−１３７０７９号）のマイクロフィルム［発光体６１Ａ〜Ｄが、本願発明の情報表示部に相当。９頁４行〜１０頁４行、１３頁１９行〜１４頁１４行、第１（ａ）〜４図等参照。］がある。）、刊行物１に記載された発明において、上記周知技術に基づいて上記相違点（Ｂ）の構成とすることは、当業者が容易になし得る程度のことにすぎない。
　
相違点（Ｃ）について
　「ケースカバーの背面側に２枚の基板が遊技盤に沿った姿勢で互いに間隔を隔てて設けられ、その両基板のうちの後方側のものが中継基板である」構成とすることは周知であるから（例えば、特開平２−１０２６８７号公報［駆動制御基板９６，中継端子基板１００が、それぞれ、本願発明の基板（前方側）、中継基板に相当。７頁右下欄９行〜８頁左上欄１行、第５、８，９図等参照。］、特開平２−１７４８７８号公報［駆動制御基板１００，中継端子基板１０４が、それぞれ、本願発明の基板（前方側）、中継基板に相当。９頁右上欄５〜１７行、第１、２図等参照。］がある。）、刊行物１に記載された発明において、上記周知技術に基づいて上記相違点（Ｃ）の構成とすることは、当業者が容易になし得る程度のことにすぎない。
　
　そして、本願発明の奏する効果は上記刊行物１に記載された発明及び上記周知技術から当業者が容易に予測し得るものであって、格別顕著なものとも認められない。
　
４．むすび
　以上のとおり、本願発明は、刊行物１に記載された発明及び上記周知技術に基づいて当業者が容易に発明をすることができたものであるから、特許法第２９条第２項の規定により特許を受けることができない。
　よって、結論のとおり審決する。